(57)【要約】【課題】本発明のエルボ継手は、詰まりが懸念される部分をあえて径を拡大したものであり、詰まりの問題も解消され、流量抵抗も大きく低減できたものである。そして、このエルボ継手を用いることにより、床面に形成する開口部を小さくすることができ、かつ、エルボ継手の納まりも格段によくなった。【解決手段】床面に配備された横引き管をほぼ直角に折り曲げる際のエルボ継手であって、当該継手のエルボ内側の内外形状は前記開口部に添って直角に曲げられたものであり、エルボ外側の内形状は１／４の円曲面とし、かつ、前記横引き管の断面積よりも大きい断面積を保持したことを特徴とするエルボ継手。Ａ‥エルボ継手、３‥エルボ部、３ａ‥円曲面、４‥床、５‥開口部、６‥エルボ部３の内側の内外形状（直角）、１１‥横引き管、１２‥金具。【選択図】図２
2006336422.tif 000002
【特許請求の範囲】
【請求項１】
床面に配備された横引き管をほぼ直角に折り曲げる際のエルボ継手であって、当該継手のエルボ内側の内外形状は前記開口部に添って直角に曲げられたものであり、エルボ外側の内形状は１／４の円曲面とし、かつ、前記横引き管の断面積よりも大きい断面積を保持したことを特徴とするエルボ継手。
【請求項２】
エルボ継手が水平面にて折り曲げられた請求項１記載のエルボ継手。
【請求項３】
エルボ継手が床面より直角に垂下された請求項１記載のエルボ継手。
【請求項４】
エルボ部が、横引き管の断面積よりも５〜４０％大きい断面積をもつ請求項１乃至３いずれか１記載のエルボ継手。
【発明の詳細な説明】
【技術分野】
【０００１】
本発明は排水システムのエルボ継手に関するものであり、特に言えば、サイフォン排水システムにおけるエルボ継手を提供するものである。
【背景技術】
【０００２】
従来より行われている集合住宅や戸建て住宅における水廻り器具からの排水システムは、床面上に配置され、或いはこれに埋め込まれる排水管（以下横引き管という）に所定の勾配を付けることが義務付けられており、水廻り器具からの排水を適当に合流させて横引き管となし、これを立て管の合流継手に導く排水システムとしていた。
【０００３】
このように、従来型の排水システムにあっては、横引き管に勾配を付けることから、横引き管が長い場合は、この床下も大きくすることが必要となり、床下に無駄なスペ−スができてしまうという点が指摘されていた。このため、横引き管をできるだけ短くするように設計する必要があり、設計の自由度に大きな限界があった。
【０００４】
これらの欠点を解消するものとして近年になりサイフォン排水システムが提案されている（特許文献１）。かかる排水システムは、各水廻り器具からの横引き管には勾配を付ける必要がなく、例えば床面に単に配置するだけで十分排水が可能となるものであり、立て管への合流部を水廻り器具がある床面よりも下げた位置にて合流させるものである。かかる横引き管が配置される床面と合流部との落差Ｈの位置エネルギ−を用いて横引き管内の水にサイフォンを発生させ、一気に排水しようとする排水システムである。
【０００５】
かかるサイフォン排水システムでは、各水廻り器具からの排水を合流することなく立て管に導くため、管径が比較的細いものが用いられ、かつ、床下空間を小さくすることができる特徴がある。
【０００６】
【特許文献１】特開平２０００−２９７４４７号公報
【発明の開示】
【発明が解決しようとする課題】
【０００７】
しかるに、サイフォン型システムにおける水廻り器具からの横引き管は勾配を付けずにそのまま敷設されるものであり、全ての水廻り器具からの横引き管は他の管と合流することなく、そのまま床面に敷設され、立て管の周囲で下方に曲げ、そのまま合流部へ接続されることになる。上記の曲げ部には既存のエルボ継手が用いられるが、かかるエルボ継手を使用すると流量抵抗が大きく、物が詰まったり、管に水が直接ぶつかるため、排水騒音が大きかった。このため、エルボ部の曲げを大きくすると流量抵抗は小さくなるが、今度は床スラブに開ける穴を大きくしなくてはならず、かつ、このエルボ継手の納まりが悪くなるという欠点があった。尚、横引き管はコンクリ−ト駆体等を迂回して水平でほぼ直角に曲げられることがあるが、この際にも上記と同様の現象が起こる。
【課題を解決するための手段】
【０００８】
本発明の要旨は、床面に配備された横引き管をほぼ直角に折り曲げる際のエルボ継手であって、当該継手のエルボ内側の内外形状は前記開口部に添って直角に曲げられたものであり、エルボ外側の内形状は１／４の円曲面とし、かつ、前記横引き管の断面積よりも大きい断面積を保持したことを特徴とするものである。
【発明の効果】
【０００９】
本発明のエルボ継手は、詰まりが懸念される部分をあえて径を拡大したものであり、詰まりの問題も解消され、流量抵抗も大きく低減できたものである。そして、このエルボ継手を用いることにより、床面に形成する開口部を小さくすることができ、かつ、エルボ継手の納まりも格段によくなった。
【発明を実施するための最良の形態】
【００１０】
本発明のエルボ継手は、拡径型排水用エルボ継手であり、特に、サイフォン力を使用した排水システムに使用する継手に好適である。以下、本発明の特徴を横引き管をそのまま垂下させる場合を中心に説明するが、前述したように水平にてほぼ直角に曲げられる場合（例えば、柱廻り）も含むことは言うまでもない。
【００１１】
上記したように、サイフォン排水システムにあっては、各水回り器具からの排水は途中で合流することなく、各器具からの横引き管がそのまま立て管の合流部に導かれるものである。従って、横引き管をそのまま垂下させる場合もあるが、通常はエルボ管に横引き管を接続する。しかしながら、従来のエルボ管にあっては、流量抵抗や管内の詰まり現象を加味してエルボ部の曲がり径がかなり大きくなっており、このため、床面に開ける開口部も大きくしなくてはならず、又、この開口部でのエルボ継手の納まりも悪かった。
【００１２】
本発明はこれらの欠点を改良したものであり、エルボ管の内側の内外の形状を直角として床に開けられた開口部に添うようにされ、かつ、エルボ管の外側の内形状は１／４の円曲面とし、かつ、前記横引き管の断面積よりも大きい断面積を保持したものである。尚、エルボ管の内側の内外の形状を直角とするが、開口部との納まりの関係から、数学的に正確に直角とすることは求められないことは勿論であり、直角±５度程度の違いはここで言う直角内に含まれる。又、同様にエルボ管の外側の内形状は１／４の円曲面とするが、これもまた同様であり、若干の違いは許容されることは言うまでもない。
【００１３】
エルボ内側の内外形状は、開口部に合致するように直角に曲げられたものであり、エルボ外継手が開口部の縁に簡単に係止されることができるようになったものである。この直角部を形成するにあって、開発の当初は排水の流れに対して悪影響をもたらすと想定していたが、サイフォン排水システムにあっては、ほぼ問題のないことが判明した。
【００１４】
一方、エルボの外側の内形状が最も重要であることが分かったものであり、流量抵抗等を加味してこの部位の断面積を横引き管の断面積よりも大きい断面積としたものである。その大きさの程度は横引き管の＋５〜４０％程度であり、これによって流量抵抗や騒音の発生がほとんど問題とならなくなることから特定形状としたものである。
【００１５】
又、エルボ管の外側の内形状は１／４の円曲面としたが、これ又、概略の形状でよいことは勿論である。尚、エルボ管の外径は、通常は５０〜１５０Ｒである。
【００１６】
尚、本発明のエルボ管は通常は金属製ではあるが、場合によっては樹脂製であっても構わない。そして、好ましくはエルボ管の両先端にワンタッチ接続可能な継手構造としておくのがよく、これによって横引き管や垂下管との接続や交換が極めて容易となる。
【実施例】
【００１７】
以下、図面をもって本発明を更に詳細に説明する。
図１は従来のエルボ継手ａの全体図である。そして、エルボ継手ａの両先端にはワンタッチ接続機構１、２が備えられ、エルボ部３は横引き管１１とほぼ同じ断面積となっている。そして、内部を流れる流体の抵抗や流体の衝突による騒音の発生を考慮してかなり大きな円曲面３ａとなっている。勿論、エルボ部３の外面も同様である。このため、かかるエルボ継手ａを用いて横引き管１１の水平を維持して垂下させるには、床４に形成した開口部５を大きく開けることが必要になってくるだけでなく、その安定性もよくないことが分かる。
【００１８】
図２は本発明のエルボ継手Ａの全体図である。そして、エルボ継手Ａの両先端にはワンタッチ接続機構（管保持リングやＯ−リングで構成される）１、２が備えられ、エルボ部３の外側の内外形状は円曲面３ａとなっており、エルボ部３の断面積は横引き管１１のそれよりも２０％大きい断面積となっている。これによって、内部を流れる流体の抵抗や流体の衝突による騒音の発生をほぼ抑えることができたものである。
【００１９】
そして、エルボ部３の内側の内外形状は、開口部５に合致するように直角６に曲げられたものである。これによって、図示するように床４に形成した開口部５の縁に係止可能となったものであり、開口部５も比較的小さな開口で十分であることが分かる。
【００２０】
尚、横引き管１１は通常は床４面に金具１２で固定されるが、床面より１０ｍｍ程度の高さに支持される。従って、エルボ部３の断面積が大きくなったとしてもその膨らみの分は施工の際は問題とならないことは言うまでもない。
【００２１】
図３は本発明のエルボ継手Ａを水平の位置にて適用したものであり、例えば配管の際に邪魔となる柱廻りの平面図である。図中、７は柱であり、この柱７に対してエルボ継手Ａの直角部６をもって当接した例である。このように、本発明のエルボ継手Ａは、例えば、リフォ−ムの際の邪魔な構築物等を抵抗なく除けることが可能となったものである。
【産業上の利用可能性】
【００２２】
本発明にあっては、エルボ継手の形状を改良することによって床に形成した開口部を小さくでき、かつ、開口部に対して納まりが良くなったものであり、流量抵抗や騒音の面でも問題のない継手となったものであり、サイフォン排水システムの継手に用いられることは勿論、他の排水システムにも採用可能であり、更には排水のみならず、水を代表とする流体の移送時の継手として利用可能である。
【図面の簡単な説明】
【００２３】
【図１】図１は従来のエルボ継手ａの全体図である。
【図２】図２は本発明のエルボ継手ａの全体図である。
【図３】図３は本発明のエルボ継手ａを水平位置にて使用した図である。
【符号の説明】
【００２４】
Ａ‥エルボ継手、
１、２‥横引き管の接続機構、
３‥エルボ部、
３ａ‥円曲面、
４‥床、
５‥開口部、
６‥エルボ部３の内側の内外形状（直角）、
７‥柱、
１１‥横引き管、
１２‥金具。
【図１】
2006336422.tif 000003
【図２】
2006336422.tif 000004
【図３】
2006336422.tif 000005